(57)【特許請求の範囲】
【請求項１】
複数の遊技媒体貸出機からの貨幣を合流させて搬送する合流搬送装置と、
前記合流搬送装置の下流端部に取り付けられる第１のケースと、
前記合流搬送装置と前記第１のケースの内部に設けられ、貨幣を取り込んで搬送する第１の搬送ベルトと、
前記第１のケースの下流端部に上流端部が連結される第２のケースと、
前記第２のケースの下流端部に取り付けられ、貨幣を搬送する搬送部と、
前記第２のケースと前記搬送部の内部に設けられ、貨幣を搬送する第２の搬送ベルトと、
前記第１のケースと前記第２のケースの連結部分に設けられ、第１のプーリ及び第２のプーリを備え、前記第１のプーリに前記第１の搬送ベルトが装着された第１の回転軸と、
前記第２のケースの上流端部に設けられ、第３のプーリと第４のプーリを備え、前記第３のプーリに前記第２の搬送ベルトが装着された第２の回転軸と、
前記第１の回転軸の前記第２のプーリと、前記第２の回転軸の第４のプーリとに装着され、前記第１の搬送ベルトの駆動力を前記第２の搬送ベルトに伝達させる伝達ベルトと、
を備え、
前記第２のケースは、前記第１の回転軸の軸線上に回転軸を設けて前記第１のケースに回動可能に連結されていることを特徴とする貨幣搬送装置。
【請求項２】
請求項１に記載の貨幣搬送装置であって、
前記第１のケースは、互いに対向して配置され、前記第２のケースを取り付けるための係合穴又は係合突起が設けられた第１の上板と、前記第１の回転軸を下方に貫通させる貫通穴が設けられた第１の下板とを有し、
前記第２のケースは、互いに対向して配置され、前記第１のケースに取り付けられるための係合穴又は係合突起が設けられた第２の上板と、前記第１の下板の下方に配置され、前記第１の回転軸を取り付けるための係合穴が設けられた第２の下板とを有し、
前記第２のケースは、前記係合穴または係合突起及び前記第１の回転軸を回転軸として、前記第１のケースに連結されていることを特徴とする貨幣搬送装置。
【請求項３】
請求項２に記載の貨幣搬送装置であって、
前記合流搬送装置及び前記搬送部は、取り外し可能な蓋体をそれぞれ備え、
前記第１の回転軸と前記第２の回転軸との距離は、搬送される紙幣の搬送方向の長さよりも小さいことを特徴とする貨幣搬送装置。
【発明の詳細な説明】
【技術分野】
【０００１】
本発明は、パチンコ、パチスロ、ゲーム機その他の遊技台が設置された遊技場において、パチンコ玉、メダルなどの遊技媒体を貸出す遊技媒体貸出機に投入された貨幣を搬送する搬送装置に関する。
【背景技術】
【０００２】
例えば、パチンコ店では、図２１に示すように複数のパチンコ台（遊技台）１、１、…が直線状に並んで配置されたパチンコ島と称される１つの集団を形成して、複数のパチンコ台１、１、…で囲まれた背部空間にパチンコ玉の循環装置（図示せず）を設けて、この１つのパチンコ島全体でパチンコ玉を循環させている。２台のパチンコ台１、１の間には、パチンコ玉（遊技媒体）貸出機２が設置されている。
【０００３】
そして、従来では、各パチンコ機の背部空間、即ち、パチンコ島の内部空間には、図２１に示すようにパチンコ玉貸出機２に投入された紙幣Ａを取り込んで合流させる合流部３と、紙幣Ａを直線状に搬送する搬送部４とで構成された紙幣搬送装置５を、直線状に次々と接続した状態に設置している。
【０００４】
このため、各パチンコ玉貸出機２に投入された紙幣Ａは、合流部３で取り込まれて、パチンコ島の端部あるいは中央に設置された紙幣収納装置（図示せず）へ搬送部４に沿って直線方向に搬送されて収納され堆積される。
【０００５】
このように従来では、パチンコ台１が直線状に配置されているため、紙幣搬送装置５も各パチンコ台１の１台ごとに直線状に連結して直線方向へ紙幣Ａを搬送するものであった。
また、同様にパチンコ島の内部空間には、パチンコ玉貸出機２に投入された硬貨を同様に直線方向へ搬送する硬貨搬送部が設けられている。
【発明の開示】
【発明が解決しようとする課題】
【０００６】
ところで、近年、図２２に示すようにパチンコ島全体ではなく、１台のパチンコ台１１の内部のみでパチンコ玉を循環させるようにし、パチンコ台の側部にパチンコ玉貸出機１２が付設された独立型のパチンコ台ユニット１０が開発されている。
【０００７】
この独立型のパチンコ台ユニット１０は１台ごとに独立して配置できるため、複数のパチンコ台ユニット１０、１０、…を例えば円弧状（図２２）、円状、Ｓ字状、Ｌ字状など様々な形状に配置することができ、パチンコ店内のスペースの有効化を図れるという利点を有し、このため、昨今、既存のビル内に入店するパチンコ店などにおいて、急速に普及している。
【０００８】
しかるに、前記したように従来の紙幣あるいは硬貨の搬送装置は直線状にしか搬送できないので、複数の独立型パチンコ台ユニット１０、１０、…を非直線に配置した場合には、搬送装置を用いることができないという不都合があった。
【０００９】
このためパチンコ玉貸出機１２に投入された紙幣は各パチンコ台ユニット１０毎に貯留し、その後回収する必要があり、店員にとって非常に面倒であり、また回収時に店員による不正が生じる恐れがあり、各ユニット毎に貯留するのでは紙幣の貯留量にも限界があるなどの不都合があった。
【００１０】
また、パチンコ玉貸出機１２に投入された貨幣も、同様に各パチンコ台ユニット１０毎に貯留しなければならず、同様の不都合があった。
本発明はこれらの不都合を解消し、非直線状に貨幣を搬送できるようにした貨幣搬送装置を提供することを目的としている。
【課題を解決するための手段】
【００１１】
前記目的を達成するために本発明の貨幣搬送装置は、請求項１では、複数の遊技媒体貸出機からの貨幣を合流させて搬送する合流搬送装置と、前記合流搬送装置の下流端部に取り付けられる第１のケースと、前記合流搬送装置と前記第１のケースの内部に設けられ、貨幣を取り込んで搬送する第１の搬送ベルトと、前記第１のケースの下流端部に上流端部が連結される第２のケースと、前記第２のケースの下流端部に取り付けられ、貨幣を搬送する搬送部と、前記第２のケースと前記搬送部の内部に設けられ、貨幣を搬送する第２の搬送ベルトと、前記第１のケースと前記第２のケースの連結部分に設けられ、第１のプーリ及び第２のプーリを備え、前記第１のプーリに前記第１の搬送ベルトが装着された第１の回転軸と、前記第２のケースの上流端部に設けられ、第３のプーリと第４のプーリを備え、前記第３のプーリに前記第２の搬送ベルトが装着された第２の回転軸と、前記第１の回転軸の前記第２のプーリと、前記第２の回転軸の第４のプーリとに装着され、前記第１の搬送ベルトの駆動力を前記第２の搬送ベルトに伝達させる伝達ベルトと、を備え、前記第２のケースは、前記第１の回転軸の軸線上に回転軸を設けて前記第１のケースに回動可能に連結されていることを特徴とする。
【００１２】
また、請求項２では、前記第１のケースは、互いに対向して配置され、前記第２のケースを取り付けるための係合穴又は係合突起が設けられた第１の上板と、前記第１の回転軸を下方に貫通させる貫通穴が設けられた第１の下板とを有し、前記第２のケースは、互いに対向して配置され、前記第１のケースに取り付けられるための係合穴又は係合突起が設けられた第２の上板と、前記第１の下板の下方に配置され、前記第１の回転軸を取り付けるための係合穴が設けられた第２の下板とを有し、前記第２のケースは、前記係合穴または係合突起及び前記第１の回転軸を回転軸として、前記第１のケースに連結されていることを特徴とする。
【００１３】
また、請求項３では、前記合流搬送装置及び前記搬送部は、取り外し可能な蓋体をそれぞれ備え、前記第１の回転軸と前記第２の回転軸との距離は、搬送される紙幣の搬送方向の長さよりも小さいことを特徴とする。
【発明の効果】
【００１９】
本発明によれば、貨幣の搬送方向を自在に設定することができ、このため、複数の遊技台を非直線状に配置した場合でも、遊技台に沿って貨幣を搬送することができる。
【発明を実施するための最良の形態】
【００２０】
以下、図面に基づいて本発明の実施の形態を説明する。
図１〜８は本発明の参考形態にかかる紙幣搬送装置２０を示している。
図１及び図２に示すように、本発明の紙幣搬送装置２０は紙幣合流装置３０を備えている。紙幣合流装置３０は、箱状のフレームの一端面に、連結される前段の紙幣合流装置３０から直立状態で送り出されてくる紙幣Ａを受け入れる紙幣受入れ口３２を備え、両側面（一側面のみでもよい）に、パチンコ台ユニット１０のパチンコ玉貸出機１２から直立状態で送り出されてくる紙幣Ａを受け入れる紙幣受入れ口３３、３４を備えている。
【００２１】
一端面の受入れ口３２には、紙幣を直進方向へガイドする２枚のほぼ直線状の直線状直立板３５ａ、３５ｂによる直進ガイド３５が取付けられ、両側面の受入れ口３３、３４には、紙幣を円弧状に湾曲されて直進方向へガイドして合流させる湾曲状直立板３６ａ、３６ｂ及び３６ｃ、３６ｄによる合流ガイド３６、３６′が取付けられている。
【００２２】
一方の合流ガイド３６に臨むように駆動軸３７に駆動プーリ３８が固定されていて、モータ３９によってこの駆動プーリ３８は回転駆動される。駆動プーリ３８には断面円形の搬送ベルト４０が架けられていて、紙幣受入れ口３３内にパチンコ玉貸出機１２から送り込まれた紙幣は、この搬送ベルト４０と湾曲状直立板３６ｂに挟圧されて取り込まれて直進方向へ合流する。反対側のもう１つの合流ガイド３６′に臨むように軸４１に取込みローラ４２が固定されている。軸４１は前記駆動軸３７と逆方向に同一速度で回転するように歯車（図示せず）で連結されていて、同様に受入れ口３４に送り込まれた紙幣を取り込む。
【００２３】
また、直進ガイド３５に臨むように軸４３に取込みローラ４４が固定されていて、軸４３は伝達ベルト（図示せず）によって駆動軸３７と同一方向、同一速度で回転する。取込みローラー４４には圧接ローラ４５が圧接されていて、両者間に紙幣を挟んで直進させる（圧接ローラ４５は取込みローラー４４との圧接による摩擦力で回転する。）。
【００２４】
紙幣合流装置３０の直進ガイド３５の先端側のには上下方向の中央付近に対向して両者間に先端側ほど次第に幅狭になったガイド空間を形成する一対をなす水平な水平ガイド板４６ａ、４６ｂが上下に２段に設けられている。そして、上下方向の中央の２段の水平ガイド板４６ａ間に前記搬送ベルト４０が架けられたプーリ４７が回動自在に取付けられ、他方の２段の水平ガイド板４６ｂ間には圧接ローラ４８がバネ４９によって搬送ベルト４０に圧接された状態で回動自在に取付けられている（圧接ローラ４８は搬送ベルト４０との圧接による摩擦力で回転する。）。そして、これら２段の水平ガイド４６ａ、４６ｂの先端には、くちばし状に外方へ突出した突出ガイド部４６ａ′、４６ｂ′が設けられている。また、紙幣の起立状態を維持するようにこの水平ガイド４６ａ、４６ｂの上方及び下方に対をなす直立ガイド（図示せず）が設けられている。
【００２５】
紙幣合流装置３０の一端には、搬送方向調整体５０、５０、…が複数個連結されている。
搬送方向調整体５０は、図３、４に示すように、後面及び前面が開口した箱状であって、互いに平行な垂直な側板５１、５２と、互いに平行な水平な上板５３及び下板５４とを備えている。上板５３、下板５４は、後縁は曲率半径が大きい円弧状、前縁は曲率半径が小さい円弧状になっている（図７参照）。
【００２６】
上板５３及び上板５４の前縁の中央外面には、円柱状の軸突起５５が突設され、上板５３及び下板５４の後縁の中央上面には、軸突起５５（隣の搬送方向調整体５０の）が回動自在に嵌合される嵌合穴５６ａを有する腕片５６が水平方向に突出するように設けられている。
【００２７】
図７に示すように隣合う搬送方向調整体５０の上下の軸突起５５が上下の腕片５６の嵌合穴５６ａに回動自在に嵌合されていて、このため、図８に示すように複数の搬送方向調整体５０、５０、…は所定角度内において任意に向きを調整することができる。
【００２８】
このように連結した複数の搬送方向調整体５０、５０、…のうちの一端側の搬送方向調整体５０の上下の腕片５６の嵌合穴５６ａには、紙幣合流装置３０の後端の上下に突設された同様の軸突起５５′が回動自在に嵌合されて連結されている。
【００２９】
また、複数の搬送方向調整体５０、５０、…のうちの他端側の搬送方向調整体５０の上下の軸突起５５は、次段の紙幣搬送装置２０の紙幣合流装置３０の一端に連結するための連結体７０の上下の同様の腕片５６′の嵌合穴５６′ａに回動自在に嵌合されて連結されている。
【００３０】
搬送方向調整体５０の上板５３と下板５４の間には、図３、４に示すように、ハ字状に進行方向に次第に幅が狭くなったガイド空間を形成するように対向した複数対の水平ガイド板６０ａ、６０ｂが左右の側板５１、５２から水平方向に上下に複数段（図４では４段）に突設されている。各水平ガイド板６０ａ、６０ｂの後縁及び前縁の形状は上板５３、下板５４の後縁及び前縁と同じ曲率の円弧状になっている。
【００３１】
上下方向の中央の一方側の２段の水平ガイド板６０ａ′、６０ａ′間には、前記搬送ベルト４０が架け渡される環状溝６１ａを有するプーリ６１が垂直方向の軸６２によって回動自在に取付けられている。
【００３２】
そして、他方側の中央の２段の水平ガイド板６０ｂ′、６０ｂ′間には、前記プーリ６１に架け渡された搬送ベルト４０に圧接ローラ６２が圧接するようにその軸６３が上下でバネ６４で押圧されて横方向の長穴６５内を移動できる状態で設けられている（図２参照）。この中央２段の左右の水平ガイド板６０ａ′、６０ｂ′の前端には隣合う搬送方向調整体５０の水平ガイド板６０ａ′、６０ｂ′のハ字状のガイド空間内へ進入する長さのくちばし状の突出ガイド部６６が突設されている。圧接ローラ６２は搬送ベルト４０との圧接による摩擦力で回転する。
【００３３】
一端側の連結体７０は、図６に示すように、互いに平行な垂直な側板７１、７２と、互いに平行な水平な上板７３、下板７４とを備え、側板７１、７２の前端には、フランジ７５が側方へ突設され、このフランジ７５からは上下に２つの連結突起７６が突設されている。
【００３４】
この連結突起７６を、別体の紙幣搬送装置２０の紙幣合流装置３０のフレーム３１の前端の連結穴１００（図２参照）に差し込むことによって連結される。
図２、６に示すように、連結体７０には、上板７３と下板７４の間には、ハ字状に進行方向に次第に幅が狭くなったガイド空間を形成するように対向した複数対の水平ガイド板８０ａ、８０ｂが左右の側板７１、７２から水平方向に上下に複数段に突設されている。各水平ガイド板８０ａ、８０ｂの後縁の形状は上板７３、下板７４の後縁と同じ曲率の円弧状になっている。
【００３５】
上下方向の中央の一方側の２段の水平ガイド板８０ａ′、８０ａ′間には、前記搬送ベルト４０が架け渡される環状溝８１ａを有するプーリ８１が垂直方向の軸８２によって回動自在に取付けられている。
【００３６】
そして、他方側の中央の２段の水平ガイド板８０ｂ′、８０ｂ′間には、前記プーリ８１に架け渡された搬送ベルト４０に圧接ローラ８３が圧接するようにその軸８４が上下でバネ８５で押圧されて横方向の長穴８６内を移動できる状態で設けられている。この中央２段の左右の水平ガイド板８０ａ′、８０ｂ′の前端には連結される紙幣合流装置３０の直進ガイド３５内へ進入する長さのくちばし状の突出ガイド部８７が突設されている。
【００３７】
前記搬送ベルト４０は断面円形で、図２に示すように、一端側が紙幣合流装置３０の駆動プーリ３８に架けられ、その中間部が複数の搬送方向調整体５０、５０、…のプーリ６１、６１、…に架けられ、他端側が連結体７０のプーリ８１に架け渡されていて、図４に示すように紙幣Ａが上下に複数段の水平ガイド板６０ａ、６０ｂ間のガイド空間内に起立した状態で搬送ベルト４０と圧接ローラ６２で挟持されて前方へと搬送される。従って、図７に示すように搬送方向調整体５０、５０、…を直線状にすれば、紙幣Ａは直進方向へ搬送され、図８のように非直線状にすれば、これに従って紙幣は非直線状に搬送される。２つの搬送方向調整体５０、５０、…の最大の交差角度は上板５３（下板５４）の前縁と後縁とが当接する限界で決まる。
【００３８】
従って、複数のパチンコ台ユニット１０、１０、…の配置に応じて各パチンコ玉貸出機１２からの紙幣を取り込めるように紙幣合流装置３０の位置を合わせて、複数の紙幣搬送装置２０、２０、…を次々と連結していけば、各紙幣合流装置３０、３０、…の位置に応じて互いに連結された搬送方向調整体５０、５０、…が非直線状になるから、円弧状、円状、Ｓ字状、Ｌ字状、その他任意の形状に紙幣搬送装置２０、２０、…を連結して、紙幣を搬送して紙幣収納装置（図示せず）へ搬送することができる。
【００３９】
なお、搬送方向調整体５０、５０、…による搬送方向の変化によって、搬送ベルト４０に与えられるテンションが変わらないように、一端の連結体７０のプーリ８１には、図２に示すようにバネ９０によって前端側へ引張力が付与され、搬送方向調整体５０、５０、…の曲げ角度の変化に対応してプーリ８１は紙幣進行方向の長穴８８内を移動して、テンションが一定に保たれる。
【００４０】
また、紙幣合流装置３０の駆動プーリ３８の近くにおいてテンションローラ９１が搬送ベルト４０に圧接されてテンションを搬送ベルト４０に付与しているが、このテンションローラ９１にもその軸９１ａが長穴（図示せず）内で移動できるようにし、バネ（図示せず）で軸９１ａが長穴を搬送ベルト４０へ接近する方向に付勢することによってもテンションを一定に保つことができる。
【００４１】
なお、このような紙幣搬送において、紙幣Ａの下端部が次段の搬送方向調整体５０にひっかからないように、搬送方向調整体５０の下板５４の上面は前端側（下流側）が僅かに高くなるようにテーパー面にされている（図１参照）。そして、紙幣合流装置３０の前端側の底板も、連結体７０の下板７４の上面も同様のテーパー面にされている。
【００４２】
なお、複数の紙幣搬送装置２０、２０、…を順次連結する場合、パチンコ台ユニット１０の配置によっては搬送路の長さが変わる場合がある。
このため、図９に示すように、紙幣搬送装置２０の紙幣合流装置３０の上流側に搬送路構成体３０ａを設け、その上流側端部に、搬送路方向にスライド自在に搬送路長さ調整体１１０を設ければ、これに対応することができる。
【００４３】
搬送路長さ調整体１１０は、紙幣合流装置３０の搬送構成体３０ａの端部のネジ軸１１２が嵌まる長手方向のスリット１１１を備え、搬送路長さ調整体１１０をこのスリット１１１に沿ってスライドさせて、ネジ軸１１２に螺着した固定具１１３を締め付けることによって搬送路長さ調整体１１０を位置決めする。
【００４４】
搬送路長さ調整体１１０の先端には、連結体７０の連結突起７６が差し込まれる連結穴１００′を備えている。搬送路長さ調整体１１０には、紙幣を起立状態に保つために同様の対をなす対向した水平ガイド板（図示せず）が上下に複数段設けられている。この搬送路長さ調整体１１０は紙幣合流装置１１０の搬送方向の上流側及び下流側の両方に設けてもよい。この場合には、下流側に設けた搬送路長さ調整体１１０の下流側端部に搬送方向調整体５０の腕片５６が回動自在に取付けられる軸（図示せず）を設けて、この軸によって搬送方向調整体５０を回動自在に連結すればよい。
【００４５】
なお、前記実施形態では複数の搬送方向調整体５０、５０、…を連結することによって搬送方向へ変えられるようにしているが、図１０に示すように、紙幣合流装置３０の一端に回動自在に取付けられる１個の搬送方向調整体１２０のみでもよい。この搬送方向調整体１２０は、前記連結体７０の長手方向の長さを大きくした構造である。
【００４６】
また、図１１、１２に示すように紙幣合流装置３０の直進部３０′の端部から長手方向に被せられるケース１３１を備えた１つの搬送方向調整体１３０を取付けてもよい。
【００４７】
この搬送方向調整体１３０は、ケース１３１に上下の軸突起１３２によって回動自在に回転体１３３が取付けられたものであって、この回転体１３３は上下方向のスリット状の紙幣通過口１３４を備えた平板部１３５と、この平板部１３５の上下２ケ所に突設された円柱部１３６ａ、１３６ｂとから成る。円柱部１３６ａ、１３６ｂには所定角度に開いた切欠き１３７ａ、１３７ｂが設けられている。平板部１３５の反対面には連結突起７６が設けられている。
【００４８】
紙幣合流装置３０の直進部３０′から送られてきた紙幣Ａは、その上下端がこの上下の切欠き１３７ａ、１３７ｂにはいって平板部１３５のスリット１３４から出ていく。
【００４９】
従って、回転体１３３を回転させることによって紙幣の搬送方向を変えることができる。
【００５０】
図１３〜２０は本発明の実施形態を示している。
図１３〜２０に示す紙幣搬送装置１４０は、紙幣を第１の搬送ベルトによって取り込んで合流させて直進方向へ搬送する合流搬送装置１５０と、前記合流搬送装置１５０の下流端部に、上流端部が回動自在に連結され、前記第１の搬送ベルトの駆動力を伝達手段によって伝達されて、前記合流搬送装置の下流端部から排出される紙幣を直進方向へ搬送する第２の搬送ベルトを有する搬送方向調整体２２０とを備えている。
【００５１】
合流搬送装置１５０の合流部１５１には、図２に示したのと全く同様に箱状のフレーム１５１′の前端面に、直立状態で送り出されてくる紙幣Ａを受け入れる紙幣受入れ口１５２を備え、両側面（一側面のみでもよい）に、パチンコ台ユニット１０のパチンコ玉貸出機１２から直立状態で送り出されてくる紙幣Ａを受け入れる紙幣受入れ口１５３、１５４を備えている。
【００５２】
合流部１５１のフレーム１５１′の後端面には、直進搬送部１５５が取付けられている。
直進搬送部１５５は、図１５に示すようにフレーム１５１′の後端面に固定された第１の搬送フレーム１５６と、この第１の搬送フレーム１５６の底板１５６ａの係合穴１５６ａ′に係合爪１５７ａによって着脱自在に取り付けられる第２の搬送フレーム１５７と、第１の搬送フレーム１５６及び第２の搬送フレーム１５７の上面開口部に着脱自在に取り付けられる上蓋１５８とを備えている。
【００５３】
第１の搬送フレーム１５６及び第２の搬送フレーム１５７の後端部には、側板１５９、１６０と、この側板１５９、１６０の上端に摺動自在な蓋体１６１から成るジョイント部材１６２が取り付けられている。側板１５９、１６０の後端面には連結突起１６３が突設されている（図１４）。
【００５４】
このジョイント部材１６２の蓋体１６１は前記上蓋１５８の後端に摺動自在に取付けられている。
ジョイント部材１６２の側板１５９、１６０の後端面に、第１の連結補助ケース１７０が取り付けられている。
【００５５】
第１の連結補助ケース１７０は、図１６、１９に示すように側板１７１、１７２と上板１７３、底板１７４とを備えている。側板１７１、１７２の前端には、取付片１７５、１７６が垂直外方へ突設されていて、側板１５９、１６０の連結突起１６１が取付片１７５、１７６の穴１７７に嵌入され、ネジ１７８によって側板１５９、１６０の後端面に固定されている。
この第１の連結補助ケース１７０の上板１７３の前端には、前記ジョイント部材１６２の蓋体１６１の後端部の係止部１６１ａに係止される係止爪１６５が突設されている。
【００５６】
前記上蓋１５８の幅方向の両側下面には複数の突起１５８ａが突設され、前記第１、第２の搬送フレーム１５６、１５７の上縁１５６ｂ、１５７ｂには前記突起１５８ａに対応して複数の穴１５６ｃが設けられていて、これらの各突起１５８ａ、１５８ａ…が各穴１５６ｃ、１５６ｃ、…に嵌入され、上蓋１５８の後端に取付けられた前記蓋体１６１の後端の係止部１６１ａに前記第１の連結補助ケース１７０の前記係止爪１６５が係止した状態で、直進搬送部１５５に上蓋１５８が取付けられ、ジョイント部材１６２上面に蓋体１６１が被せられた状態となっている。
【００５７】
そして、紙幣詰まりなどが生じた場合、前記蓋体１６１の係止部１６１ａを摺動させて係止爪１６５の係止を解除した後、蓋体１６１を上流側へ摺動し、上蓋１５８を上方へ持ち上げて突起１５８ａ、１５８ａ、…を穴１５６ｃ、１５６ｃ…から抜いて、上蓋１５８及び蓋体１６１を外すことができる。
【００５８】
第１の連結補助ケース１７０内には、図１４、１６に示すように、ハ字状に進行方向に次第に幅が狭くなったガイド空間を形成するように対をなす水平ガイド板１８０ａ、１８０ｂが左右の側板１７１、１７２から水平方向に上下に２段突設されている。
【００５９】
右側の上方の水平ガイド板１８０ａの下方に側板１７１から同形状の水平ガイド板１８０ｃが突設され、この水平ガイド板１８０ｃに回動軸１８１の上端部が回動自在に取り付けられている。回動軸１８１の中間部はその下方の水平ガイド板１８０ａの穴１８２を通って底板１７４に回動自在に取り付けられ、回動軸１８１はさらに下方に延設されている。
【００６０】
回動軸１８１の上部には、第１の搬送ベルト２００が装着されるプーリ１８３が固定され、下端部には伝達ベルト４００が装着されるプーリ１８４が固定されている。
【００６１】
左側（図１６）の上方の水平ガイド板１８０ｂの下方に側板１７２から同形状の２つの水平ガイド板１８０ｄ、１８０ｄが突設されている。この水平ガイド板１８０ｄ、１８０ｄの長穴１８５、１８５に軸１８６の両端が移動可能に収容されている。軸１８６には圧接ローラ１８７が回動自在に取り付けられている。軸１８６の両端に係止されたバネ１８８、１８８によって、プーリ１８３側に圧接ローラ１８７が押圧されるように軸１８６の両端は長穴１８５、１８５内を移動する。
第１の連結補助ケース１７０の前記上板１７３には、前記回動軸１８１の軸線上において、係合突起（あるいは係合穴）１７３ａが突設されている。
【００６２】
図２と全く同様に、前記合流部１５１のフレーム１５１′の前端面の受入れ口１５２には、紙幣を直進方向へガイドする２枚のほぼ直線状の直線状直立板１９０ａ、１９０ｂによる直進ガイド１９０が設けられ、両側面の受入れ口１５３、１５４には、紙幣を円弧状に湾曲されて直進方向へガイドして合流させる湾曲状直立板１９１ａ、１９１ｂ及び１９１ｃ、１９１ｄによる合流ガイド１９１、１９１′が設けられている。
【００６３】
一方の合流ガイド１９１に臨むように駆動軸１９２ａに駆動プーリ１９２が固定されていて、モータ１９３によってこの駆動プーリ１９２は回転駆動される。駆動プーリ１９２には断面円形の第１の搬送ベルト２００が架けられていて、紙幣受入れ口１５３内にパチンコ玉貸出機１２から送り込まれた紙幣は、この第１の搬送ベルト２００と湾曲状直立板１９１ａに挟圧されて取り込まれて直進方向へ合流する。
【００６４】
反対側のもう１つの合流ガイド１９１′に臨むように軸１９４に取込みローラ１９５が固定されている。軸１９４は前記駆動軸１９２ａと逆方向に同一速度で回転するように歯車（図示せず）で連結されていて、同様に受入れ口１５４にパチンコ玉貸出機１２から送り込まれた紙幣を取り込む。
【００６５】
また、直進ガイド１９０に臨むように軸１９６に取込みローラ１９７が固定されていて、軸１９６は伝達ベルト（図示せず）によって駆動軸１９２ａと同一方向、同一速度で回転する。取込みローラ１９７には圧接ローラ１９８が圧接されていて、両者間に紙幣を挟んで直進させる（圧接ローラ１９８は取込みローラー１９７との圧接による摩擦力で回転する。）。
【００６６】
前記直進搬送部１５５の第１の搬送フレーム１５６の内壁には、ガイド支持体２０１が固定されていて、このガイド支持体２０１に沿って複数のプーリ２０２、２０２、…が回動自在に取り付けられている。
【００６７】
断面円形の前記第１の搬送ベルト２００は図１４に示すように合流部１５１の駆動プーリ１９２、前記直進搬送部１５５の複数のプーリ２０２、２０２、…、前記第１の連結補助ケース１７０のプーリ１８３に装着されている。各プーリの外周には断面円形の前記第１の搬送ベルト２００が外れないように断面半円形の環状溝が設けられている。２０３は第１の搬送ベルト２００に外側から押圧されたテンションローラである。
【００６８】
第２の搬送フレーム１５７の内壁には、上下２つの水平ガイド板２０５、２０５が固定されている。この水平ガイド板２０５、２０５には前記複数のプーリ２０２、２０２、…に対応して長穴２０６、２０６が設けられていて、各長穴２０６、２０６に軸２０７の両端が移動可能に収容されている。軸２０７には圧接ローラ２０８が回動自在に取り付けられている。軸２０７の両端に係止されたバネ２０９、２０９によって、プーリ２０２側に圧接ローラ２０８が押圧されるように軸２０７の両端は長穴２０６、２０６内を移動する。
【００６９】
第１の搬送フレーム１５６及び第２の搬送フレーム１５７の内面下部には起立状態の紙幣の下部を案内するガイト板２１１、２１２が固定され、第１の搬送フレーム１５６及び第２の搬送フレーム１５７の上面開口部に着脱自在に取り付けられる上蓋１５８には、起立状態の紙幣の上部を案内するガイト板２１３、２１４が突設されている。
【００７０】
従って、図２の場合と同様に、前段の紙幣搬送装置１４０から起立状態で排出された紙幣Ａは、前記合流搬送装置１５０の上流端部の合流部１５１のフレーム１５１の前端面の受入れ口１５２から取り込まれ、側方のパチンコ玉貸出機１２から送り込まれた紙幣Ａは、両側面の受入れ口１５３、１５４から取り込まれて直進方向へ合流し、直進搬送部１５５を図１５に示すように紙幣Ａが起立した状態で第１の搬送ベルト２００と圧接ローラ２０８、２０８、…で挟持されて直線状に搬送される。
【００７１】
前記合流搬送装置１５０の下流端部に、図１３、１９に示すように搬送方向調整体２２０の上流端部が回動自在に連結されている。
搬送方向調整体２２０は、第２の連結補助ケース２２１と直進搬送部２４０とを備えている。
【００７２】
第２の連結補助ケース２２１は、図１７、１８、１９に示すように側板２２２、２２３と上板２２４、底板２２５とを備えている。上板２２４の前端には係合穴（あるいは係合突起）２２４ａが設けてあって、前記第１の連結補助ケース１７０の上板１７３の係合突起（あるいは係合穴）１７３ａに回動自在に係合している。底板２２５の前端には穴２２５ａが設けてあって、前記第１の連結補助ケース１７０の回動軸１８１がこの穴２２５ａを下方に貫通して、この軸１８１に底板２２５ａは回動自在に取り付けられている。従って、第２の連結補助ケース２２１の上流端部は、第１の連結補助ケース１７０の下流端部に前記第１の搬送ベルト２００の下流端部のプーリ１８３の回動軸１８１の軸線上において回動自在に連結されている。
【００７３】
第２の連結補助ケース２２１を回動する際に、第２の連結補助ケース２２１の側板２２２、２２３が第１の連結補助ケース１７０の側板１７１、１７２に衝突しないように、第２の連結補助ケース２２１の側板２２２、２２３の前端に切欠き２２２ａ、２２３ａが設けられている。
【００７４】
そして、第２の連結補助ケース２２１の側板２２２、２２３には、図１７、１８に示すように、ハ字状に進行方向に次第に幅が狭くなったガイド空間を形成するように対をなす水平ガイド板２２６ａ、２２６ｂが左右の側板２２２、２２３から水平方向に上下に複数段突設されている。これらの複数段の水平ガイド板２２６ａ、２２６ｂは前記切欠き２２２ａ、２２３ａ部分においてもその上流端部が延設され、第２の連結補助ケース２２１を回動する際に、これらの複数段の水平ガイド板２２６ａ、２２６ｂの上流端部が衝突しないように、前記第１の連結補助ケース１７０の複数段の水平ガイド板１８０ａ、１８０ｂ、１８０ｃ、１８０ｄと段違いに設けられ、且つ第１の連結補助ケース１７０の側板１７１、１７２に複数段にスリット１７１ａ、１７２ａが設けられている。
【００７５】
第２の連結補助ケース２２１の右側の上方の水平ガイド板２２６ａに下流端部において、回動軸２２８の上端部が回動自在に取り付けられている。回動軸２２８の中間部はその下方の水平ガイド板２２６ａの穴２２９を通って底板２２５に回動自在に取り付けられ、回動軸２２８はさらに下方に延設されている。
【００７６】
回動軸２２８の上部には、第２の搬送ベルト３００が装着されるプーリ２３０が固定され、下端部には伝達ベルト４００が装着されるプーリ２３１が固定されている。
【００７７】
前記第１の連結補助ケース１７０の回動軸１８１の下端部に固定されたプーリ１８４と第２の連結補助ケース２２１の回動軸２２８の下端部に固定されたプーリ２３１には、伝達ベルト４００が装着されていて、駆動プーリ１９２による第１の搬送ベルト２００の駆動力が第２の連結補助ケース２２１の回動軸２２８に伝達される。各プーリの外周には断面円形の前記伝達ベルト４００が外れないように断面半円形の環状溝が設けられている。
【００７８】
プーリ１８４、２３１、伝達ベルト４００は、第２の連結補助ケース２２１の底板２２５の下部に構成されたケース４０１内に収容されている。
【００７９】
なお、第１の連結補助ケース１７０の回動軸１８１と第２の連結補助ケース２２１の回動軸２２８間の距離は紙幣の搬送方向の長さの約半分に設定することが望ましい。このようにすれば、この部分で紙幣がなんらかの理由で走行停止した場合、紙幣の一端上流側の直進搬送部１５５側に位置し、他端は下流側の直進搬送部２４０に位置することになるから、上流側の上蓋１５８及び蓋体１６１か、下流側の上蓋２４３のいずれかを外して取り出すことができる。
【００８０】
なお、伝達手段として、プーリ１８４、２３１、伝達ベルト４００の代わりに、歯車機構で駆動力の伝達を行なってもよい。
また、伝達手段を設けず、搬送方向調整装置にもモータを設けて、このモータで第２の搬送ベルトを駆動してもよい。
【００８１】
このように、第２の連結補助ケース２２１の上流端部は第１の連結補助ケース１７０の下流端部に前記第１の搬送ベルト２００の下流端部のプーリ１８３の回動軸１８１線上（伝達ベルト４００の前端のプーリ１８４の中心軸線上）において回動自在に連結されているから、第２の連結補助ケース２２１を回動しても伝達ベルト４００の張力は変化しないので、常に安定した駆動力の伝達ができる。
【００８２】
第２の連結補助ケース２２１の左側（図１７）の２つの水平ガイド板２２６ｂ、２２６ｂの長穴２３５、２３５（図１８）に軸２３６の両端が移動可能に収容されている。軸２３６には圧接ローラ２３７が回動自在に取り付けられている。軸２３６の両端に係止されたバネ２３８、２３８によって、プーリ２３０側に圧接ローラ２３７が押圧されるように軸２３６の両端は長穴２３５、２３５内を移動する。
【００８３】
第２の連結補助ケース２２１の後端面には、直進搬送部２４０が取付けられている。
直進搬送部２４０は、第２の連結補助ケース２２１の後端部に固定された第１の搬送フレーム２４１と、図２０に示すようにこの第１の搬送フレーム２４１の底板２４１ａの係合穴２４１ａ′に係合爪２４２ａによって着脱自在に取り付けられる第２の搬送フレーム２４２と、第１の搬送フレーム２４１、第２の搬送フレーム２４２の上面開口部に着脱自在に取り付けられる上蓋２４３とを備えている。上蓋２４３は第１の搬送フレーム２４１、第２の搬送フレーム２４２の上縁２４１ａ、２４２ａの穴２４２ｃに嵌まる突起２４３ａを備えている。
【００８４】
第１の搬送フレーム２４１及び第２の搬送フレーム２４２の後端部には、側板２４４ａ、２４４ｂ、底板２４４ｃから成るジョイント部材２４５が長手方向に摺動自在に取り付けられている。即ち、側板２４４ａ、２４４ｂには長手方向にスリット２４６ａ、２４６ａが設けてあり、このスリット２４６ａ、２４６ａにそれぞれ第１、第２の搬送フレーム２４１、２４２の突起２４１ｄ、２４１ｄが摺動自在に嵌合されていて、ジョイント部材２４５を長手方向に摺動することによって長さ調整し、突起２４１ｄの先端のネジ２４１ｅを締めて固定するようになっている。この長さ調整によって次段の紙幣搬送装置との連結長さの調整ができる。
【００８５】
側板２４４ａ、２４４ｂの後端面には、次段の紙幣搬送装置１４０の合流部１５１の穴１５１ｆ（図１３、１４）に嵌入連結するための連結突起２４７が突設されている。
ジョイント部材２４５には蓋体２４８が摺動自在に取付けられている。この蓋体２４８の後端部には、次段の紙幣搬送装置１４０の合流部１５１の係止爪１５１ａ（図１３）に係止するための係止部２４８ａが設けられている。
【００８６】
紙幣詰まりなどが生じた場合、前記蓋体２４８の係止部２４８ａを次段の合流部１５１の係止爪１５１ａから外した後、蓋体２４８を上流側へ摺動し、上蓋２４３を上方へ持ち上げて突起２４３ａ、２４３ａ、…を穴２４２ｃ、２４２ｃ、…から抜いて、上蓋２４３及び蓋体２４８を外すことができる。
【００８７】
前記直進搬送部２４０の第１の搬送フレーム２４１の内壁には、ガイド支持体２５１が固定されていて、このガイド支持体２５１に沿って複数のプーリ２５２、２５２、…が回動自在に取り付けられている。
【００８８】
断面円形の前記第２の搬送ベルト３００は、図１８に示すように第２の連結補助ケース２２１のプーリ２３０、前記直進搬送部１５５の複数のプーリ２５２、２５２、…に装着されている。各プーリの外周には断面円形の前記第２の搬送ベルト３００が外れないように断面半円形の環状溝が設けられている。
【００８９】
第２の搬送フレーム２４２の内壁には、上下２つの水平ガイド板２５５、２５５が固定されている。この水平ガイド板２５５、２５５には前記複数のプーリ２５２、２５２、…に対応して長穴２５６、２５６が設けられていて、各長穴２５６、２５６に軸２５７の両端が移動可能に収容されている。軸２５７には圧接ローラ２５８が回動自在に取り付けられている。軸２５７の両端に係止されたバネ２５９、２５９によって、プーリ２５２側に圧接ローラ２５８が押圧されるように軸２５７の両端は長穴２５６、２５６内を移動する。
【００９０】
第１の搬送フレーム２４１及び第２の搬送フレーム２４２の内面下部には起立状態の紙幣の下部を案内するガイト板２６１、２６２が固定され、第１の搬送フレーム２４１及び第２の搬送フレーム２４２の上面開口部に着脱自在に取り付けられる上蓋２４３には、起立状態の紙幣の上部を案内するガイト板２６３、２６４が突設されている。
【００９１】
従って、前段の合流搬送装置１５０の第１の連結補助ケース１７０から起立状態で排出された紙幣Ａは、搬送方向調整体２２０の第２の連結補助ケース２２１の水平ガイド２２６ａ、２２６ｂで案内されて、第２の搬送ベルト３００と圧接ローラ２５８、２５８、…で挟持されて、搬送方向調整体２２０の向きに従って直線状に搬送される。従って、図１３に示すように複数の紙幣搬送装置１４０、１４０、…を連結し、搬送方向調整体２２０の向きを決める事によって、任意に紙幣を非直線状に搬送することができる。
【００９２】
合流搬送装置１５０の第１の搬送ベルト２００と搬送方向調整体２２０の第２の搬送ベルト３００は互いに独立して設けられているので、搬送方向調整体２２０の向きを変えてもベルト２００、３００の張力は変化しないから、安定した搬送ができ、張力を一定に保つための複雑な機構を省略できる。
【００９３】
また、第１の搬送ベルト２００の後端と第２の搬送ベルト３００の前端が離れているので、左右いずれの方向へ搬送方向調整体２２０の向きを変えても紙幣が巻き込まれることがない。
また、搬送方向調整体２２０を左右いずれの方向にも向きを変えられるから、向きを変えるのに左式様、右式様の種類を必要としない。
【００９４】
なお、前記第１の連結補助ケース１７０と第２の連結補助ケース２２１を連結した直線状態での長さを紙幣の長さより小に設定すれば、紙幣が第１の連結補助ケース１７０と第２の連結補助ケース２２１の中で詰まりなどのトラブルが生じた場合、上流側の上蓋１５８か下流側の上蓋２４３のいずれかを外して紙幣を取り出すことができる。
【００９５】
なお、前記実施形態では、紙幣の搬送について説明したが、硬貨を起立状態で両面から挟んで搬送する硬貨搬送装置にも本発明を適用することができる。
【００９６】
また、以上の説明ではパチンコ店における貨幣の搬送について例示したが、パチスロ、ゲーム機、その他の遊技場における貨幣搬送にも適用できることは勿論である。
【００９７】
また、独立型のパチンコ台ユニットに限らず、既存のパチンコ島においても、コーナー部などで貨幣を非直線状に搬送する場合などにも適用できることは勿論である。
【００９８】
以上説明したように、本実施形態においては複数の遊技媒体貸出機からの貨幣を取り込んで合流させる合流部と、合流させた貨幣を搬送する搬送部とから成る貨幣搬送装置において、前記搬送部に搬送方向を変化させる搬送方向調整体を回動自在に設けたので、貨幣の搬送方向を自在に設定することができ、このため、複数の遊技台を非直線状に配置した場合でも、遊技台に沿って貨幣を搬送することができる。
【００９９】
また、本実施形態においては、前記搬送部に沿って貨幣を挟持して搬送する搬送ベルトが設けられ、前記搬送ベルトのテンションが前記搬送方向が変化しても一定にされているので、搬送方向を変えても搬送ベルトで確実に貨幣は搬送される。
【０１００】
また、本実施形態においては、前記搬送部に、搬送方向にスライド自在な搬送路長さ調節体を設けているので、複数の遊技台の配置状態に対応して、複数の貨幣搬送装置の搬送路長さを調節して連結することができる。
【０１０１】
また、本実施形態においては、複数の遊技媒体貸出機からの貨幣を第１の搬送ベルトによって取り込んで合流させて直進方向へ搬送する合流搬送装置と、前記合流搬送装置の下流端部に、上流端部が回動自在に連結され、前記合流搬送装置の下流端部から排出される貨幣を直進方向へ搬送する第２の搬送ベルトを有する搬送方向調整体とを備えているので、合流搬送装置の第１の搬送ベルトで直進方向に搬送された貨幣は、搬送方向調整体へ進入し、第１の搬送ベルトの駆動力を伝達された第２の搬送ベルトによって搬送されるから、搬送方向調整体の向きを変えることによって、搬送方向を自在に設定できる。
また、第１の搬送ベルトと第２の搬送ベルトが互いに独立して設置されているから、搬送方向調整体の向きを変えても第１の搬送ベルト、第２の搬送ベルトいずれのベルト張力も変化しないので、常に安定した搬送ができる。
【０１０２】
また、本実施形態においては、前記第１の搬送ベルトの駆動力を伝達手段によって第２の搬送ベルトへ伝達するようにしたため、搬送方向調整体には駆動装置が不要となる。
【０１０３】
また、本実施形態においては、前記伝達手段が、前記合流搬送装置の下流端部における前記第１の搬送ベルトが装着されたプーリの回転軸の端部に固定されたプーリと、前記搬送方向調整体の上流端部における前記第２の搬送ベルトが装着されたプーリの回転軸の端部に固定されたプーリと、両プーリ間に装着されて回転伝達する伝達ベルトとから成るので、両プーリ間の距離を長く設定して第１の搬送ベルトの終端と第２の搬送ベルトの前端間の距離を長く設定でき、このため、紙幣の前端部が第１の搬送ベルトの終端と第２の搬送ベルトの前端間で巻き込まれるトラブルを避けることができる。
【０１０４】
また、本実施形態においては、合流搬送装置の下流端部における前記第１の搬送ベルトが装着されたプーリの回動軸の延長線上において、前記搬送方向調整体の上流端部が前記合流搬送装置の下流端部に回動自在に連結されていて、搬送方向調整体と伝達ベルトの回動中心が一致しているから、搬送方向調整体の向きを変えても伝達ベルトの張力が変化せず、安定した伝達ができる。
【図面の簡単な説明】
【０１０５】
【図１】本発明の参考形態の正面図。
【図２】同参考形態の断面図。
【図３】同参考形態の搬送方向調整体の斜視図。
【図４】同参考形態の搬送方向調整体の右側面図。
【図５】同参考形態の搬送方向調整体の連結状態の斜視図。
【図６】同参考形態の連結体の右側面図。
【図７】同参考形態の直線状態の平面図。
【図８】同参考形態の非直線状態の平面図。
【図９】本発明の参考形態における搬送路長さ調整体を取付けた状態の平面図。
【図１０】本発明の他の参考形態の平面図。
【図１１】本発明のさらに他の参考形態の平面図。
【図１２】図１１の参考形態の要部を示す斜視図。
【図１３】本発明の実施形態の斜視図。
【図１４】同実施形態の合流搬送装置の断面図。
【図１５】同実施形態の直進搬送部１５５の断面図。
【図１６】同実施形態の第１の連結補助ケースの断面図。
【図１７】同実施形態の第２の連結補助ケースの断面図。
【図１８】同実施形態の搬送方向調整体の断面図。
【図１９】同実施形態の第１、第２の連結補助ケースを連結した状態の断面図。
【図２０】同実施形態の直進搬送部２４０の断面図。
【図２１】従来の紙幣搬送装置を示す概略平面図。
【図２２】独立型パチンコ台ユニットの配置を示す概略平面図。
【符号の説明】
【０１０６】
１０  パチンコ台ユニット、１１  パチンコ台、１２  パチンコ玉貸出機、２０  紙幣搬送装置、３０  紙幣合流装置、４０  搬送ベルト、５０  搬送方向調整体、５５  軸突起、５６  腕片、６６  突出ガイド部、７０  連結体、７６  連結突起、１１０  搬送路長さ調整体、１２０  搬送方向調整体、１３０  搬送方向調整体、１４０  紙幣搬送装置、１５０  合流搬送装置、１５１  合流部、１５５  直進搬送部、１７０  第１の連結補助ケース、２００  第１の搬送ベルト、２２０  搬送方向調整体、２２１  第２の連結補助ケース、２４０  直進搬送部、３００  第２の搬送ベルト、４００  伝達ベルト。
【図１】
0004555810.tif 000002
【図２】
0004555810.tif 000003
【図３】
0004555810.tif 000004
【図４】
0004555810.tif 000005
【図５】
0004555810.tif 000006
【図６】
0004555810.tif 000007
【図７】
0004555810.tif 000008
【図８】
0004555810.tif 000009
【図９】
0004555810.tif 000010
【図１０】
0004555810.tif 000011
【図１１】
0004555810.tif 000012
【図１２】
0004555810.tif 000013
【図１３】
0004555810.tif 000014
【図１４】
0004555810.tif 000015
【図１５】
0004555810.tif 000016
【図１６】
0004555810.tif 000017
【図１７】
0004555810.tif 000018
【図１８】
0004555810.tif 000019
【図１９】
0004555810.tif 000020
【図２０】
0004555810.tif 000021
【図２１】
0004555810.tif 000022
【図２２】
0004555810.tif 000023